(57)【特許請求の範囲】
【請求項１】
被洗浄車両を跨いで前後方向に相対移動する洗車機本体と、前記洗車機本体に設けられて被洗浄車両を洗浄する回転ブラシと、被洗浄車両に空気を送出して乾燥させる送風ノズルとを備え、前記洗車機本体に前進して進入した被洗浄車両が後退して退出する洗車機において、
洗車開始位置で前記回転ブラシが被洗浄車両の前方に配されるとともに、前記送風ノズルが被洗浄車両の前端と後端との間に配され、
前記洗車機本体が被洗浄車両の後方に向って移動する往路で前記回転ブラシによる洗浄を行う洗浄工程と、前記洗車機本体が被洗浄車両の前方に向って移動する復路で前記送風ノズルによる乾燥を行う移動乾燥工程と、前記洗車機本体が停止して被洗浄車両が退出する際に前記送風ノズルによる乾燥を行う停止乾燥工程とを有し、
前記移動乾燥工程に続いて前記停止乾燥工程を実行することを特徴とする洗車機。
【請求項２】
前記送風ノズルが被洗浄車両の上面を乾燥し、前記移動乾燥工程の終了時の前記送風ノズルの送風位置を保持して前記停止乾燥工程が行われることを特徴とする請求項１に記載の洗車機。
【請求項３】
作業者の入力を受け付ける操作部を備え、
前記移動乾燥工程終了時に前記送風ノズルの送風を停止し、前記操作部による操作によって前記停止乾燥工程が開始されることを特徴とする請求項１又は２に記載の洗車機。
【請求項４】
作業者の前記洗車機本体内に進入する作業者を検知するユーザ検知センサを備え、
前記移動乾燥工程終了時に前記送風ノズルの送風を停止し、前記ユーザ検知センサの検知結果に基づいて前記停止乾燥工程が開始されることを特徴とする請求項１又は２に記載の洗車機。
【請求項５】
前記移動乾燥工程終了時に前記送風ノズルの送風を継続して前記停止乾燥工程が行われることを特徴とする請求項１又は２に記載の洗車機。
【請求項６】
被洗浄車両が退出したか否かを検出する退出検知センサを備え、
前記退出検知センサの結果に基づいて前記停止乾燥工程が終了することを特徴とする請求項１〜５のいずれかに記載の洗車機。
【発明の詳細な説明】
【技術分野】
【０００１】
本発明は、送風ノズルを備えた洗車機に関する。
【背景技術】
【０００２】
給油所等に設置される従来の洗車機は特許文献１に開示されている。洗車機は被洗浄車両に対して前後方向に移動させる洗車機本体を備えている。洗車機本体は左右の対向する２つのスタンド部と、スタンド部の上端を連結する天井部とを有して被洗浄車両を跨いで門型に形成される。
【０００３】
洗車機本体には回転ブラシ及び送風ノズルが設けられている。回転ブラシは複数設けられ、被洗浄車両の表面を洗浄する。送風ノズルは回転ブラシよりも被洗浄車両が進入する側（洗車機本体の前部）に設けられて被洗浄車両の側面及び上面に空気を送出する。
【０００４】
上記構成の洗車機において、作業者が洗車条件を設定して進入経路上に被洗浄車両を前進させて停止させる。その後、洗車開始位置に配される洗車機本体が被洗浄車両の後方に向って移動して被洗浄車両を洗浄する。そして、回転ブラシにより被洗浄車両の洗浄を終了する位置まで移動すると、洗車機本体が反転して被洗浄車両の前方に向って洗車開始位置まで移動する。その際に送風ノズルにより空気を被洗浄車両に送風して被洗浄車両を乾燥させる。乾燥が終了すると、被洗浄車両が洗車機本体を通り抜けて退出する。なお、一般的に洗車機本体の後方（被洗浄車両の前方）に壁等があると、作業者は被洗浄車両を後退させて進入経路から退出する。
【先行技術文献】
【特許文献】
【０００５】
【特許文献１】特開２０００−０８５５４７号公報
【特許文献２】特開平０７−０２５３１５号公報
【発明の概要】
【発明が解決しようとする課題】
【０００６】
しかしながら、上記従来の洗車機によると、回転ブラシと送風ノズルとが前後方向に離れて配置される。このため、洗車機本体は被洗浄車両の前後方向の長さに回転ブラシと送風ノズルとの距離を加えた移動ストロークが必要となる。従って、洗車場の敷地が狭い場合に洗車機本体の移動ストロークを確保できないため洗車機を設置できない問題があった。
【０００７】
本発明は、狭い敷地でも設置可能な洗車機を提供することを目的とする。
【課題を解決するための手段】
【０００８】
上記目的を達成するために本発明は、被洗浄車両を跨いで前後方向に相対移動する洗車機本体と、前記洗車機本体に設けられて被洗浄車両を洗浄する回転ブラシと、被洗浄車両に空気を送出して乾燥させる送風ノズルとを備え、前記洗車機本体に前進して進入した被洗浄車両が後退して退出する洗車機において、洗車開始位置で前記回転ブラシが被洗浄車両の前方に配されるとともに、前記送風ノズルが被洗浄車両の前端と後端との間に配され、前記洗車機本体が被洗浄車両の後方に向って移動する往路で前記回転ブラシによる洗浄を行う洗浄工程と、前記洗車機本体が被洗浄車両の前方に向って移動する復路で前記送風ノズルによる乾燥を行う移動乾燥工程と、前記洗車機本体が停止して被洗浄車両が退出する際に前記送風ノズルによる乾燥を行う停止乾燥工程とを有することを特徴とする。
【０００９】
また、本発明は上記構成の洗車機において、前記送風ノズルが被洗浄車両の上面を乾燥し、前記移動乾燥工程の終了時の前記送風ノズルの送風位置を保持して前記停止乾燥工程が行われることを特徴とする。
【００１０】
また、本発明は上記構成の洗車機において、作業者の入力を受け付ける操作部を備え、前記移動乾燥工程終了時に前記送風ノズルの送風を停止し、前記操作部による操作によって前記停止乾燥工程が開始されることを特徴とする。
【００１１】
また、本発明は上記構成の洗車機において、作業者の前記洗車機本体内に進入する作業者を検知するユーザ検知センサを備え、前記移動乾燥工程終了時に前記送風ノズルの送風を停止し、前記ユーザ検知センサの検知結果に基づいて前記停止乾燥工程が開始されることを特徴とする。
【００１２】
また、本発明は上記構成の洗車機において、前記移動乾燥工程終了時に前記送風ノズルの送風を継続して前記停止乾燥工程が行われることを特徴とする。
【００１３】
また、本発明は上記構成の洗車機において、被洗浄車両が退出したか否かを検出する退出検知センサを備え、前記退出検知センサの結果に基づいて前記停止乾燥工程が終了することを特徴とする。
【発明の効果】
【００１４】
本発明によると、洗車機本体が被洗浄車両の前方に向って移動する復路で送風ノズルによる乾燥を行う移動乾燥工程と、洗車機本体が停止して被洗浄車両が退出する際に送風ノズルによる乾燥を行う停止乾燥工程とを有している。従って、洗車機本体の移動ストロークを小さくすることができ、狭い敷地に洗車機を設置することができる。
【図面の簡単な説明】
【００１５】
【図１】本発明の第１実施形態の洗車機を示す側面図
【図２】本発明の第１実施形態の洗車機を示す正面図
【図３】本発明の第１実施形態の洗車機本体の洗車状態を示す側面図
【図４】本発明の第１実施形態の洗車機本体の洗車状態を示す側面図
【図５】本発明の第１実施形態の洗車機本体の洗車状態を示す側面図
【図６】本発明の第１実施形態の洗車機本体の洗車状態を示す側面図
【図７】本発明の第２実施形態の洗車機本体の洗車状態を示す側面図
【発明を実施するための形態】
【００１６】
以下に本発明の実施形態を図面を参照して説明する。図１、図２は本発明の第１実施形態の洗車機ＷＡを示す側面図及び正面図である。洗車機ＷＡは洗車機本体１、レール２、リモートパネル７Ａ及び停止案内部５９を備えている。洗車機本体１は左右の対向する２つのスタンド部９０と、スタンド部９０の上端を連結する天井部９１とを有した門型に形成される。
【００１７】
レール２は地面Ｇ上に左右一対設けられ、スタンド部９０の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００１８】
リモートパネル７Ａは洗車機本体１の進入経路Ｓ上に配される。被洗浄車両ＣＡはリモートパネル７Ａの面前で停車し、作業者は被洗浄車両ＣＡ内からリモートパネル７Ａの操作によって洗車条件の設定を行う。
【００１９】
リモートパネル７Ａに設けたボタンにより、シャンプー、ワックス掛け、撥水コート等に使用する液剤を用いた洗車条件を設定することができる。また、フロントガード有り、フェンダーポール有り、サイドミラー有り、リヤワイパ有り、ルーフキャリア有り等の装備品の設定もすることができる。
【００２０】
停止案内部５９はそれぞれのレール２の間に左右方向に延びて設けられている。停止案内部５９は円柱のパイプ等により形成され、下部は地面Ｇに埋設され、上部の数センチだけが地面Ｇから突出している。
【００２１】
スタンド部９０には洗剤やワックス等の各種液剤を貯液した複数の貯液タンク（不図示）を収納するタンク収納部３０が配される。タンク収納部３０の上方には市水及び各貯液タンクからの液剤を分配する分配配管部３１が設けられる。分配配管部３１には噴射ノズルからなる第１、第２浄水ノズル１１、１３、第１、第２洗剤ノズル１２、１５、撥水コートノズル１４、ワックスノズル１６がそれぞれ電磁弁（不図示）を介して導出される。
【００２２】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの液体を噴射する。撥水コートノズル１４及びワックスノズル１６は洗車機本体１の後面に配される。撥水コートノズル１４は被洗浄車両ＣＡに対して撥水コート剤の液体を噴射する。ワックスノズル１６は被洗浄車両ＣＡに対して液体のワックスを噴射する。
【００２３】
洗車機本体１の天井部９１の前面には車両形状センサ８が設けられ、スタンド部９０の前面には車両形状センサ９及び退出検知センサ６１が設けられている。車両形状センサ８、９は光電センサや超音波センサ等から成り、洗車機本体１に進入する被洗浄車両ＣＡの外面形状を検知する。これにより、後述するトップ送風ノズル４１やトップブラシ４の動作を制御することができる。
【００２４】
また、退出検知センサ６１は被洗浄車両ＣＡの洗車機本体１への進入及び退出を検出する。
【００２５】
洗車機本体１の一方のスタンド部９０の前面には操作パネル７が配される。操作パネル７は洗車条件を設定するリモートパネル７Ａと同様の操作ボタン（不図示）を備えている。
【００２６】
洗車機本体１には被洗浄車両ＣＡ上に摺動して駆動モータ（不図示）により回転してブラッシングする複数の回転ブラシを有している。回転ブラシはトップブラシ４、サイドブラシ５及びロッカーブラシ６から成る。トップブラシ４は天井部９１に設けられ、被洗浄車両ＣＡの上面に沿って移動して被洗浄車両ＣＡの上面を洗浄する。サイドブラシ５は左右のスタンド部９０に設けられ、被洗浄車両ＣＡの両側面を洗浄する。ロッカーブラシ６は左右のスタンド部９０の下部に設けられ、被洗浄車両ＣＡの両側面の下部を洗浄する。
【００２７】
洗車機本体１には気流を発生して被洗浄車両ＣＡを乾燥させるブロア２０が設けられる。ブロア２０には回転ブラシよりも被洗浄車両ＣＡの進入側に配された複数の送風ノズルが接続される。送風ノズルはトップ送風ノズル４１及びサイド送風ノズル２２から成る。トップ送風ノズル４１は天井部９１に設けられ、被洗浄車両ＣＡの上面に沿って移動して被洗浄車両ＣＡの前後面及び上面に向けて送風する。サイド送風ノズル２２は洗車機本体１のスタンド部９０にそれぞれ設けられ、被洗浄車両ＣＡの側面に向けて送風する。
【００２８】
上記構成の洗車機ＷＡにおいて、作業者が運転して被洗浄車両ＣＡをリモートパネル７Ａの面前で停車させ、被洗浄車両ＣＡの洗車条件の設定を被洗浄車両ＣＡ内から行う。なお、洗車機本体１の後方（被洗浄車両ＣＡの前方）に壁などがあり、被洗浄車両ＣＡが洗車機本体１を潜り抜けないような狭い敷地の洗車の状況を想定している。
【００２９】
図３〜図６は洗車機本体１の洗車状態の側面図を示している。被洗浄車両ＣＡの洗車前に洗車機本体１は図３に示す洗車開始位置に配置される。作業者は被洗浄車両ＣＡを運転して被洗浄車両ＣＡの前輪が停止案内部５９（図２参照）に当接すると停車させ、被洗浄車両ＣＡから降車する。この時、洗車開始位置では被洗浄車両ＣＡの前方に各回転ブラシが配され、各送風ノズルは被洗浄車両ＣＡの前端と後端との間に配される。本実施形態ではサイド送風ノズル２２及びトップ送風ノズル４１が側面視においてフロントガラスと重なる位置に配されている。
【００３０】
被洗浄車両ＣＡが洗車開始位置に配置されると、洗車機本体１は矢印Ａ１に示すように被洗浄車両ＣＡの後方に向かって移動する往路で洗浄工程を行う。洗浄工程ではトップブラシ４は被洗浄車両ＣＡの上面に沿って上下に移動しながら被洗浄車両ＣＡの前面、上面及び後面を洗浄する。サイドブラシ５、ロッカーブラシ６は被洗浄車両ＣＡの側面に沿って被洗浄車両ＣＡの側面を洗浄する。そして、図４に示すように被洗浄車両ＣＡの後端まで洗浄して洗浄工程が終了すると洗車機本体１が停止する。
【００３１】
次に、洗車機本体１は反転し、図５の矢印Ａ２に示すように被洗浄車両ＣＡの前方に向かって移動する復路で移動乾燥工程が行われる。移動乾燥工程ではトップ送風ノズル４１が被洗浄車両ＣＡの上面に沿って上下に移動しながら被洗浄車両ＣＡの上面を乾燥させる。サイド送風ノズル２２は被洗浄車両ＣＡの側面に沿って被洗浄車両ＣＡの側面を乾燥させる。
【００３２】
洗車機本体１は前述の図３に示す洗浄開始位置に戻ると停止し、移動乾燥工程が終了する。この時、トップ送風ノズル４１は移動乾燥工程の終了時の送風位置を保持され、トップ送風ノズル４１及びサイド送風ノズル２２の送風が継続されている。
【００３３】
移動乾燥工程が終了すると、作業者は洗車機本体１の移動停止及び回転ブラシの回転停止を確認して被洗浄車両ＣＡに乗車する。そして、図６の矢印Ａ３に示すように、作業者により被洗浄車両ＣＡを後退させ、洗車機本体１の停止状態で被洗浄車両ＣＡを乾燥させる停止乾燥工程が行われる。停止乾燥工程ではトップ送風ノズル４１が被洗浄車両ＣＡの前面、上面及び後面に空気を吹き付けて乾燥させ、サイド送風ノズル２が被洗浄車両ＣＡの側面に空気を吹き付けて乾燥させる。これにより、送風ノズルよりも前方の被洗浄車両ＣＡの乾燥が行われる。尚、作業者が被洗浄車両ＣＡに乗車する際、回転ブラシは回転していないため、作業者への飛水や怪我を防止することができる。
【００３４】
また、停止乾燥工程ではトップ送風ノズル４１が移動乾燥工程の終了時の送風位置を保持しているため、乾燥時間を短縮することができる。ここで、作業者は被洗浄車両ＣＡの所有者でもよいし、洗車場のスタッフでもよい。なお、被洗浄車両ＣＡの退出速度が速すぎると停止乾燥工程による乾燥が不十分になる場合があるため、作業者はスタッフの方が好ましい。
【００３５】
被洗浄車両ＣＡが後退して洗車機本体１から退出すると退出検知センサ６１により検知され、各送風ノズルの送風を停止して停止乾燥工程が終了する。そして、被洗浄車両ＣＡは洗車場から退出する。
【００３６】
本実施形態によると、洗車機本体１が被洗浄車両ＣＡの前方に向って移動する復路でサイド送風ノズル２２及びトップ送風ノズル４１による乾燥を行う移動乾燥工程と、洗車機本体１が停止して被洗浄車両ＣＡが退出する際にサイド送風ノズル２２及びトップ送風ノズル４１による乾燥を行う停止乾燥工程とを有している。従って、洗車機本体１の移動ストロークを小さくすることができ、洗車機本体１の後方に壁や障害物などがあるような狭い敷地に洗車機ＷＡを設置することができる。
【００３７】
また、トップ送風ノズル４１が被洗浄車両ＣＡの上面を乾燥し、移動乾燥工程の終了時のトップ送風ノズル４１の送風位置を保持して停止乾燥工程が行われる。このため、トップ送風ノズル４１は移動乾燥工程から停止乾燥工程への移行時に移動がなく、乾燥時間を短縮することができる。
【００３８】
また、退出検知センサ６１の結果に基づき停止乾燥工程が終了するため、ブロア２０からトップ送風ノズル４１及びサイド送風ノズル２２への無駄な空気の送出量を抑えることができる。
【００３９】
＜第２実施形態＞
次に、図７は第２実施形態の洗車機本体１の側面図を示している。説明の便宜上、前述の図１〜図６に示す第１実施形態と同様の部分には同一の符号を付している。本実施形態はユーザ検知センサ６０が設けられ、退出検知センサ６１が省かれている。その他の部分は第１実施形態と同様である。
【００４０】
ユーザ検知センサ６０はスタンド部９０の前部に設けられている。ユーザ検知センサ６０は光電センサや超音波センサ等から成り、洗車機本体内１に進入する作業者を検知する。
【００４１】
上記構成の洗車機ＷＡにおいて、上記と同様に洗浄工程、移動乾燥工程が行われる。
【００４２】
移動乾燥工程が終了し、作業者は洗車機本体１が移動を停止して回転ブラシの回転停止を確認すると、被洗浄車両ＣＡに乗車する。この時、ユーザ検知センサ６０は洗車機本体１内へ進入するユーザを検出すると、洗車機本体１は所定時間だけサイド送風ノズル２２及びトップ送風ノズル４１の送風を再開する。
【００４３】
そして、洗車機本体１が停止した状態で被洗浄車両ＣＡが洗車機本体１から退出する際にサイド送風ノズル２２及びトップ送風ノズル４１による乾燥が行われる停止乾燥工程が実施される。なお、停止乾燥工程の乾燥時間（ユーザを検知してから乾燥が行われる時間）は設定によって変更することができる。
【００４４】
本実施形態によると、第１実施形態と同様の効果を得ることができる。また、移動乾燥工程終了時にサイド送風ノズル２２及びトップ送風ノズル４１の送風を停止し、ユーザ検知センサ６０の結果に基づいて停止乾燥工程が開始される。このため、移動乾燥工程から停止乾燥工程へすぐに作業者は被洗浄車両ＣＡに乗車する必要がなく、洗車機ＷＡの利便性が向上する。
【００４５】
第２実施形態において、ユーザ検知センサ６０を省略して、操作パネル７やリモートパネル７Ａの操作により停止乾燥工程を開始させてもよい。これにより、操作パネル７等の操作開始から所定時間サイド送風ノズル２２及びトップ送風ノズル４１による乾燥が行われる。これにより、コストを削減することができる。
【産業上の利用可能性】
【００４６】
本発明によると、送風ノズルを備えた洗車機に利用することができる。
【符号の説明】
【００４７】
１    洗車機本体
４    トップブラシ
５    サイドブラシ
６    ロッカーブラシ
７    操作パネル
１４    撥水コートノズル
１６    ワックスノズル
２０    ブロア
２２    サイド送風ノズル
３０    タンク収納部
３１    分配配管部
４１    トップ送風ノズル
５９    停止案内部
６０    ユーザ検知センサ
６１    退出検知センサ
９０    スタンド部
９１    天井部
ＣＡ    被洗浄車両
ＷＡ    洗車機
【図１】
0006269395.tif 000002
【図２】
0006269395.tif 000003
【図３】
0006269395.tif 000004
【図４】
0006269395.tif 000005
【図５】
0006269395.tif 000006
【図６】
0006269395.tif 000007
【図７】
0006269395.tif 000008